(57)【要約】【課題】  前扉の開放時に内パネルボックスの係脱を容易に行うことができる引出し構造を提供する。【解決手段】  内パネルボックスに係合片を設け、引出し本体の前面部下方に係合案内部材を設け、該係合案内部材には前扉開放時に前記内パネルボックスに設けられた係合片を係脱できる係合溝を形成するとともに、該係合溝に前記係合片を案内する傾斜面を形成することにより、前扉の内側に内パネルボックスを配置して前扉を閉扉していくだけで、係合片を傾斜面に沿って摺接させながら係合溝に案内することができる。そして、再び前扉を開扉したのちに前記係合溝と前記係合片の係合を解除するだけで容易に内パネルボックスを取り外すことができる。【選択図】  図６
2005224370.tif 000002
【特許請求の範囲】
【請求項１】
引出し本体の前面部下方に枢着させた枢着部を介して、手前に開放される前扉の内側に内パネルボックスを配置した引出し構造であって、前記前面部下方には係合案内部材が設けられ、該係合案内部材には前扉開放時に前記内パネルボックスの底面側に設けた係合片を係脱できる係合溝が形成されることを特徴とする内パネルボックス付き前扉の引出し構造。
【請求項２】
前記係合案内部材に前記係合片を前記係合溝に案内する傾斜面が形成されている請求項１に記載の内パネルボックス付き前扉の引出し構造。
【請求項３】
前記係合溝に係合突起を設けた請求項１または２に記載の内パネルボックス付き前扉の引出し構造。
【請求項４】
前記係合案内部材の後端側に、前記係合片を前記係合溝に案内する案内片を設ける請求項１乃至３のいずれかに記載の内パネルボックス付き前扉の引出し構造。
【請求項５】
前記係合片を互いに対向するように前方と後方に一対設けた請求項１乃至４のいずれかに記載の内パネルボックス付き前扉の引出し構造。
【請求項６】
前記前扉の下部に前方の係合片を支持する片受部を設ける請求項５に記載の内パネルボックス付き前扉の引出し構造。
【請求項７】
前記前扉の開放限度位置は、該前扉と前記引出し本体とに掛け渡されたリンク部材により設定される請求項１乃至６のいずれかに記載の内パネルボックス付き前扉の引出し構造。
【請求項８】
請求項１乃至７のいずれかに記載の内パネルボックス付き前扉の引出し構造を備えたことを特徴とするキッチン台。
【発明の詳細な説明】
【技術分野】
【０００１】
本発明は、引出し本体の前面部下方に枢着させた枢着部を介して、手前に開放される前扉の内側に内パネルボックスを配置した引出し構造及びキッチン台に関する。
【背景技術】
【０００２】
例えば図９に示されるように、調理等が行える流し台の前面に前扉０１が設けられており、前扉０１の内側に包丁などを収納可能な内パネルボックス０４が設けられている。内パネルボックス０４は、前扉０１の開扉動作に同期して上方斜め前方に開口するように配置されている。内パネルボックス０４のＵ字状に形成された底面には、断面円形の突条０６が長手方向に突設されている。流し台の図示しないシンク前面の幕板０２に取付けられた取付板０５の下部には、前面に突設するＣ字形断面の突条０８が形成されており、この突条０８に前記突条０６が嵌合されることで枢着部を構成し、内パネルボックス０４が揺動可能に取付板に支持されている。
【０００３】
そして、取付板０５の下部より前方に突設した板状の突条下端部０１２の円形断面部には、前扉０１の下端に設けられたＣ字形断面の突条０１４が嵌合されることで、別の枢着部を構成し、突条下端部０１２を中心として取付板０５に対して前扉０１が揺動自在に支持されている。
【０００４】
そこで前扉０１を手前に開放すると、リンク部材０１５により制限されて所定角度まで開放されるが、同時にその内部に配置された内パネルボックス０４も開放される。しかも、前扉０１の回動中にボックス０４のＵ字状の底面がＣ字形断面の突条０１４の外周に当接することで、所定の位置で開放角度が制限される構成になっており、この開放角度はボックス０４の上部から包丁などの収納を行い易い角度に調整されている（特許文献１参照）。
【０００５】
【特許文献１】実用新案登録第３０７０７４７号公報（図５，６）
【発明の開示】
【発明が解決しようとする課題】
【０００６】
しかしながら、特許文献１に示された内パネルボックス０４の清掃を行う場合には、前扉０１の内側に内パネルボックス０４が収納された状態であるので、内パネルボックス０４を取り外さずに清掃を行うには充分な清掃が行い難かった。そこで、内パネルボックス０４を取り外して清掃を行おうとすると、突条０８と突条０６の嵌合状態を解除する必要があり、取り外しに手間がかかるばかりでなく、再び内パネルボックス０４を取り付けるには突条０６を突条０８に嵌合しなければならず、着脱作業に手間と時間が掛かっていた。
【０００７】
本発明は、このような問題点に着目してなされたもので、前扉の開放時に内パネルボックスの係脱を容易に行うことができる引出し構造およびキッチン台を提供することを目的とする。
【課題を解決するための手段】
【０００８】
上記課題を解決するために、本発明の請求項１に記載の内パネルボックス付き前扉の引出し構造は、引出し本体の前面部下方に枢着させた枢着部を介して、手前に開放される前扉の内側に内パネルボックスを配置した引出し構造であって、前記前面部下方には係合案内部材が設けられ、該係合案内部材には前扉開放時に前記内パネルボックスの底面側に設けた係合片を係脱できる係合溝が形成されることを特徴としている。
この特徴によれば、通常の使用状態において、内パネルボックスはその係合片が係合案内部材の案内溝と係合して、前扉の開扉に伴い開扉することができ、前扉の開放時には係合溝と係合片の係合を解除できるので、内パネルボックスを容易に取り外すことができる。
【０００９】
本発明の請求項２に記載の内パネルボックス付き前扉の引出し構造は、請求項１に記載の内パネルボックス付き前扉の引出し構造であって、前記係合案内部材に前記係合片を前記係合溝に案内する傾斜面が形成されることを特徴としている。
この特徴によれば、例えば、内パネルボックスの洗浄後、再び内パネルボックスを係合案内部材に係合させる場合に、開放された前扉の内側に内パネルボックスを配置して、前扉を閉扉していくだけで、係合片は傾斜面に沿って移動して係合溝まで案内されるので、内パネルボックスを引出し本体の前面部に容易に取り付けることができる。
【００１０】
本発明の請求項３に記載の内パネルボックス付き前扉の引出し構造は、請求項１または２に記載の内パネルボックス付き前扉の引出し構造であって、前記係合溝に係合突起を設けたことを特徴としている。
この特徴によれば、係合片の係合溝への係合状態が係合突起によって堅固に維持されるので、前扉が開扉された場合でも、係合溝から係合片の係合が外れることを防止することができる。
【００１１】
本発明の請求項４に記載の内パネルボックス付き前扉の引出し構造は、請求項１乃至３のいずれかに記載の内パネルボックス付き前扉の引出し構造であって、前記係合案内部材の後端側に、前記係合片を前記係合溝に案内する案内片を設けることを特徴としている。
この特徴によれば、例えば、前扉を勢い良く閉扉した場合でも、係合片が案内片によって確実に受け止められ、係合片が案内片に沿って係合溝へと案内される。
【００１２】
本発明の請求項５に記載の内パネルボックス付き前扉の引出し構造は、請求項１乃至４のいずれかに記載の内パネルボックス付き前扉の引出し構造であって、前記係合片を互いに対向するように前方と後方に一対設けたことを特徴としている。
この特徴によれば、内パネルボックスに形成された係合片の前後位置を確認することなく、前扉の内側及び引出し本体の前面部下方に内パネルボックスを配置することができる。
【００１３】
本発明の請求項６に記載の内パネルボックス付き前扉の引出し構造は、請求項５に記載の内パネルボックス付き前扉の引出し構造であって、前記前扉の下部に前方の係合片を支持する片受部を設けることを特徴としている。
この特徴によれば、前扉が所定位置まで開扉されると片受部に前方の係合片が当接され支持されることから、前扉が所定位置より開扉された場合でも、内パネルボックスの傾斜角度が片受部によって規制されるので、利用者が内パネルボックス内に物品等の収納を行い易い状態を維持することができる。
【００１４】
本発明の請求項７に記載の内パネルボックス付き前扉の引出し構造は、請求項１乃至６のいずれかに記載の内パネルボックス付き前扉の引出し構造であって、前記前扉の開放限度位置は、該前扉と前記引出し本体とに掛け渡されたリンク部材により設定されることを特徴としている。
この特徴によれば、リンク部材によって前扉の開放限度位置を確実に設定することができ、かつ前扉にかかる内パネルボックスの荷重をリンク部材を介して、引出し本体に分散支持させることができる。
【００１５】
本発明の請求項８に記載のキッチン台は、請求項１乃至７のいずれかに記載の内パネルボックス付き前扉の引出し構造を備えたことを特徴としている。
この特徴によれば、内パネルボックスに頻繁に出し入れする包丁や、菜箸、スプーン等を収納しておくことにより、料理時にキッチン台としての利便性が高まる。
【発明を実施するための最良の形態】
【００１６】
以下、本発明の内パネルボックス付き前扉の引出し構造について説明する。図１は、本発明の実施例１、２における前扉を備えた引出し構造が適用された上下２段の引出しの全体像を示す斜視図であり、実施例１の引出しが下段に示され、実施例２の引出しが上段に示されている。なお、本実施例の説明では引出しの前扉の手前側を前方とし、引出しの背面側を後方として以下に説明する。
【実施例１】
【００１７】
以下、本発明の実施例１について図１〜図６に基づいて説明する。図２（ａ）は、図１のＡ−Ａ線の側断面図で、前扉を開扉状態とし、内パネルボックスを係合案内部に取り付ける前の状態を示したものであり、図２（ｂ）は、引出しの前面部の下部に設けた係合案内部材の斜視図であり、図３（ａ）は、開扉状態の前扉内に内パネルボックスを載置した取付け前の状態を示す要部拡大側断面図であり、図３（ｂ）は、内パネルボックスの取付過程を示す要部拡大側断面図であり、図３（ｃ）は、前扉が閉扉され内パネルボックスが係合案内部材に収納される過程を示す要部拡大側断面図であり、図４は、前扉が閉扉された状態を示す引出しの側断面図であり、図５（ａ）は、前扉が閉扉された状態を示す要部拡大側断面図であり、図５（ｂ）は、前扉を閉扉状態から開扉する過程を示す要部拡大側断面図であり、図５（ｃ）は、前扉を開扉した状態を示す要部拡大側断面図であり、図６は、前扉が開扉された状態を示す引出し前部の全側断面図である。
【００１８】
図１に示されるように、引出しは主に引出し本体１と前扉２から構成され、例えばシステムキッチン等の流し台下部に形成された図示しない収納部に納められている。引出し本体１の前面部５には揺動運動によって手前に開くように前扉２の下端が枢着されている。
【００１９】
引出し本体１の前面部５を構成する前面枠板１ａの前面には、前扉２の閉扉状態の時に、前扉２で覆われるような収容凹部４が形成されており、前扉２の裏面には収容凹部４内に臨むように、例えば包丁等を収納する内パネルボックス１２が内側に配設された構造となっている。
【００２０】
引出し本体１の上端には横長に形成された取手６が設けられ、引出し本体１を前方へと引き出せるようになっており、前扉２の上端には横長に形成された取手７が設けられ、前扉２を手前前方に開放できるようになっている。前扉２と前面枠板１ａ間にはリンク部材９が設けられ、前扉２の開放を規制している。
【００２１】
次に、前扉２について説明する。図２（ａ）に示されるように、前扉２の下端には横長の下端枠部材１４が幅方向に設けられ、上端に取手７が取り付けられた横長の上端枠部材１５が幅方向に設けられ、それぞれに上向きのパネル係合溝１４ｃ、下向きのパネル係合溝１５ｃが形成されている。このパネル係合溝１４ｃ、１５ｃ間にパネル板１８が嵌合保持され前扉２の前面を構成し、前面左右の側端部にパネル板２ａ（図１参照）を設けることで前扉２が構成される。
【００２２】
下端枠部材１４の下端には、後方に延出する後方延出部１４ｄが形成され、下端枠部材１４の頂面には、後述する内パネルボックス１２の前方の係合片１２ａを支持する片受部１４ａが形成され、この片受部１４ａの下方位置に後述する係止突部１６ａと揺動可能に枢支する嵌合凹部１４ｂが形成されている。
【００２３】
一方、前面部５の下方には前方に突出する突条１６が形成され、この突条１６の先端には断面円弧状の係止突部１６ａが形成されている。係止突部１６ａを前述の嵌合凹部１４ｂに嵌合し軸支することで枢着部が構成され、この枢着部を軸として前扉２は引出し本体１の前面部５に対して前方に開放可能になっている。
【００２４】
前扉２の内側には内パネルボックス１２を配置されている。内パネルボックス１２は断面コ字形に形成され、その内部に調理器具等の物品を収納する収納部２０が構成されている。内パネルボックス１２の底面部１２ｅの前端側には断面Ｌ字状の係合片１２ａ（前方）、後端側には断面逆Ｌ字状の係合片１２ｂ（後方）が前後一対に設けられている。図２（ａ）は内パネルボックス１２が取り外された状態から通常に使用される取り付け状態に移行する前の状態を示しており、内パネルボックス１２の前端面１２ｃはパネル１８に支持され、係合片１２ａの下端が片受部１４ａに支持されている。
【００２５】
前扉２の開放限度位置は、前述した前扉２と前面枠板１ａとに掛け渡されるリンク部材９によって調整されており、具体的にはリンク部材９は、中央部が屈曲可能に軸着され、リンク部材９の両端部のそれぞれが前扉２と前面枠板１ａの内側左右端部に軸着されている。
このようにすれば、リンク部材９の長さによって前扉２の開放限度位置を確実に決めることができ、かつ前扉２にかかる内パネルボックス１２やその収納物の荷重をリンク部材９を介して、引出し本体１側に分散支持させることができる。
【００２６】
前面部５下方に設けられた突条１６には、横長の係合案内部材２１（本実施例ではＡＢＳ樹脂の押出により成型されている）が幅方向に設けられている。図２（ｂ）に示すように、係合案内部材２１は、上方に開口する係合溝２１ｂが形成され、係合溝２１ｂの上部に後方側に突設するように係合突起２１ａが形成される。この係合突起２１ａの頂部から前方に向かって下方に傾斜するように傾斜面２１ｃが形成されており、係合案内部材２１の後端側には、上方斜め後方に延設された案内片２１ｆが形成される。
【００２７】
次いで、例えば清掃のために取り出した内パネルボックス１２を係合溝２１ｂに係止する過程を図３により説明する。内パネルボックス１２の前端面１２ｃがパネル１８に支持された図３（ａ）に示した状態より、利用者が前扉２を閉扉方向に操作し始めると、前扉２が係止突部１６ａを軸心として回動され、内パネルボックス１２の係合片１２ｂが係合案内部材２１の傾斜面２１ｃに沿って摺接されながら上方へと移動していく。
【００２８】
さらに、前扉２が全閉状態に近づくと、図３（ｂ）に示されるように、内パネルボックス１２の前端面１２ｃがパネル板１８の背面に沿って摺接されながら上方へと移動され、係合片１２ａも片受部１４ａから離間されていくとともに、係合片１２ｂが係合突起２１ａを乗り上げ、係合片１２ｂが係合突起２１ａの頂部を乗り越えると、内パネルボックス１２の自重により、係合片１２ｂが矢印方向に示される係合溝２１ｂへと落下する。
【００２９】
また、図３（ｃ）に示されるように、例えば、前扉２を勢い良く閉扉した場合に前扉２の後端面１２ｄが前面枠板１ａ側に移動したとしても、係合片１２ｂが案内片２１ｆによって確実に受け止められ、係合片１２ｂが案内片２１ｆに沿って係合溝２１ｂへと案内される。
【００３０】
このように、手前に開放された前扉２の内側に内パネルボックス１２を配置して、前扉２を閉扉していくだけで、係合片１２ｂを傾斜面２１ｃに沿って摺接させながら係合溝２１ｂに案内することができる。
【００３１】
そして、係合片１２ｂが係合溝２１ｂに落下すると、図４に示されるように、内パネルボックス１２の底面部１２ｅが傾斜面２１ｃから係合突起２１ａに掛けて形成された面に支持される。
【００３２】
以上の説明により前扉２の内側に内パネルボックス１２が配置された状態で前扉２を閉扉するだけで、容易に内パネルボックス１２を前扉２の内側と引出し本体１の前面部５の収容凹部１４ｂの間に収納させ、係合片１２ｂを係合溝２１ｂに案内することができる。そして、内パネルボックス１２の前端面１２ｃの上端がパネル板１８に支持される。
【００３３】
次に内パネルボックス１２が収納された前扉２の開扉過程を説明する。図４において、利用者が取手７を上方に持ち上げながら前方手前（矢印方向）に操作し始めると、ロック孔１１よりロック爪１０の係合が解除される。
【００３４】
そして、前扉２と前面部５の下方では、図５（ａ）に示されるように、前扉２が係止突部１６ａを軸心として回動される。そして、図５（ｂ）に示されるように、内パネルボックス１２の底面部１２ｅが係合突起２１ａから傾斜面２１ｃに摺接されながら前方へと移動しつつ、内パネルボックス１２全体が前方へと傾斜していく。
【００３５】
さらに、図５（ｃ）に示されるように前扉２が完全に開扉されると、係合片１２ｂが係合溝２１ｂに係合され、内パネルボックス１２全体の傾斜が抑制されるとともに、係合片１２ａが片受部１４ａに当接することにより、内パネルボックス１２の傾斜位置が固定される。なお、係合溝２１ｂの前方上部に後方に突出する係合突起２１ａを形成しておくと係合片２１ｂは係合溝２１内に確実に係止される。
【００３６】
以上の説明により実施例１では、図６に示されるように、後方の係合片１２ｂの係合溝２１ｂへの係合状態が係合突起２１ａによって堅固に維持されることから、前扉２が広く開扉され内パネルボックス１２の傾斜角度が大きくなった場合でも、係合溝２１ｂから係合片１２ｂの係合が外れて、内パネルボックス１２が前扉２側に傾倒してしまうことを未然に防ぎ、内パネルボックス１２内に収納される物品が外部に飛び出てしまうことも防止できる。
【００３７】
しかも、前扉２が所定位置まで開扉されると片受部１４ａに前方の係合片１２ａが当接され支持されることから、前扉２が広く開扉された場合でも、内パネルボックス１２の傾斜角度が片受部１４ａによって規制されるので、利用者が内パネルボックス１２内に物品等の収納を行い易い状態（傾斜角度）を維持することができる。
【００３８】
また、例えば内パネルボックス１２の清掃等を行いたい場合に、内パネルボックス１２の取り外しを行う場合には、内パネルボックス１２を少し後方にずらすだけで、容易に係合溝２１ｂから係合片１２ｂの係合を解除でき、内パネルボックス１２を前扉２と前面部５間に形成された開口から引き上げるだけで取り外すことができる。
【００３９】
なお、本実施例の内パネルボックス１２には、係合片１２ａ、１２ｂを互いに対向するように前方と後方に一対設けていることから、内パネルボックス１２を再び係合案内部材２１に係止させる場合に、係合片１２ａ、１２ｂの前後位置を確認する必要がない。
【実施例２】
【００４０】
次に、本発明の実施例２を図１、図７、図８に基づいて説明する。図７（ａ）は、前扉を開扉状態とし、内パネルボックスを係合案内部に取り付ける前の状態を示したものであり、図７（ｂ）は、引出しの前面部の下部に設けられる係合案内部材を示す拡大斜視図であり、図８（ａ）は、開扉状態の前扉内に内パネルボックスを載置した取付け前の状態を示す要部拡大側断面図であり、図８（ｂ）は、前扉を閉扉した要部拡大側断面図であり、図８（ｃ）は、前扉を開扉した状態を示す要部拡大側断面図である。
【００４１】
なお、以下の実施例２において前述の実施例１と同様の構造部分に関しては、同一の符号を付すことにより詳細な説明は省略することにする。図１に示されるように、引出しは主に引出し本体１’と前扉２から構成され、前扉２の下端が前面部５の下部に枢着されており、取手７を手前に開くと、図７（ａ）に示されるように前扉２が開放される。
【００４２】
前面部５の一部を構成する前面枠板１ａ’は内パネルボックス２２の後方下部を収納する収容凹部４’が形成されている。収容凹部４’の下方には左右に一対の係合案内部材３１が設けられ、この係合案内部材３１は図７（ｂ）に示されるように、後方に開口する係合溝３１ｂが、係合溝３１ｂの上部に後方側に突設するように係合突起３１ａが、そしてこの係合突起３１ａの頂部から前方に向かって下方に傾斜するように傾斜面３１ｃが形成されている。
【００４３】
前扉２の内側と前面部５に配置される内パネルボックス２２は、包丁等を収納する収納ケース等（不図示）を保持する収納部が断面コ字形に前後複数区画されており、最前方の収納部下方には下方に延設された嵌入部２２ａが形成されている。
【００４４】
まず、内パネルボックス２２を係合案内部材３１に係止するには、内パネルボックス２２の底面部の左右に一対の係合部材２３を取り付ける。この係合部材２３には、前方位置に内パネルボックス２２の底部と嵌合する嵌合部２３ｂ、後方に形成された切欠き部２３ｅ、後端の略断面逆Ｌ字に形成された係合片２３ａが形成されている。嵌合部２３ｂの後端の一部には突条１６の後端前面１６ｃと当接可能な当接面２３ｄが形成されている。
【００４５】
前扉２の内側に洗掃後の内パネルボックス２２を配置すると、内パネルボックス２２の前端面２２ｃがパネル板１８に支持され、係合片２３ａが係合案内部材３１の傾斜面３１ｃに支持される。
【００４６】
図８（ａ）に示された状態から前扉２が閉扉し始めると、係合片２３ａが傾斜面３１ｃに沿って摺接されながら上方へと移動する。そして、図８（ｂ）に示されるように、係合片２３ａが係合溝３１ｂへと案内され、係合部材２３の底面部２３ｅが傾斜面３１ｃから係合突起３１ａに掛けて形成された面に支持され、内パネルボックス２２の後方が前面部５に形成された収容凹部４’内に収納される。
【００４７】
次に、内パネルボックス２２が収納された前扉２の開扉過程を説明する。前扉２が開扉されていくと、図８（ｃ）に示されるように係合突起３１ａに係合片２３ａが係合され、内パネルボックス２２の前方への傾斜が抑制されるとともに、当接面２３ｄが後端前面１６ｃに当接することにより、係合部材２３が前面部５下方に支持される。
【００４８】
以上の説明により明らかなように、実施例２は、実施例１の内パネルボックス１２よりも、さらに奥行きのある内パネルボックス２２に適用された例であって、収納部１ｂ側に奥行きが拡大された前面枠板１ａ’を前面部５に設けて収容凹部４’を形成し、この収容凹部４’の下方に係合案内部材３１を設けることで、実施例１と同様に前扉２が広く開扉された場合でも内パネルボックス２２の開放角度が固定され、利用者が内パネルボックス１２内に物品等の収納を行い易い状態（傾斜角度）を維持することができる。
【００４９】
以上、本発明の実施例１、２を図面により説明してきたが、具体的な構成はこれら実施例に限られるものではなく、本発明の要旨を逸脱しない範囲における変更や追加があっても本発明に含まれ、例えば上記実施例１、２では、利用者に内パネルボックス１２、２２を前扉２の内側に配置させたのちに前扉２を閉扉させることで、容易に内パネルボックス１２、２２を前面部５に形成した係合案内部材２１，３１に係合させているが、本発明はこれに限定されるものではなく、内パネルボックス１２、２２を直接に係合案内部材２１，３１に係合させても良い。
【００５０】
また、実施例１では、前扉２の開扉時には下端枠部材１４に形成された片受部１４ａに係合片１２ａが支持されることで、内パネルボックス１２の荷重が係合案内部材２１と片受部１４ａに分散されることから好ましいが、本発明はこれに限定されるものではなく、係合突起２１ａと係合片１２ｂの係合強度のみで内パネルボックス１２を支持する構成にしても良い。
【００５１】
また、上記実施例１、２では、リンク部材９の長さによって前扉２の開放限度位置を設定しているが、本発明の開放限度位置を設定方法はリンク部材に限定されるものではなく、例えば、リンク部材９の代替として油圧ダンパーを用いて開放限度位置を設定しても良く、このようにすれば前扉２が勢い良く開扉してしまうことも未然に防止できる。
【図面の簡単な説明】
【００５２】
【図１】本発明の実施例１、２における前扉を備えた引出し構造が適用された引出しの全体像を示す斜視図である。
【図２】（ａ）は、図１のＡ−Ａ線の側断面図で、前扉を開扉状態とし、内パネルボックスを係合案内部に取り付ける前の状態を示したものであり、（ｂ）は、引出しの前面部の下部に設けた係合案内部材を示す斜視図である。
【図３】（ａ）は、開扉状態の前扉内に内パネルボックスを載置した取付け前の状態を示す要部拡大側断面図であり、（ｂ）は、内パネルボックスの取付過程を示す要部拡大側断面図であり、（ｃ）は、前扉が閉扉され内パネルボックスが係合案内部材に収納される過程を示す要部拡大側断面図である。
【図４】前扉が閉扉された状態を示す引出しの側断面図である。
【図５】（ａ）は、前扉が閉扉された状態を示す要部拡大側断面図であり、（ｂ）は、前扉を閉扉状態から開扉する過程を示す要部拡大側断面図であり、（ｃ）は、前扉を開扉した状態を示す要部拡大側断面図である。
【図６】前扉が開扉された状態を示す引出し前部の全側断面図である。
【図７】（ａ）は、内パネルボックスを係合案内部に取り付ける前の状態を示したものであり、（ｂ）は、引出しの前面部の下部に設けられる係合案内部材を示す拡大斜視図である。
【図８】（ａ）は、開扉状態の前扉内に内パネルボックスを載置した取付け前の状態を示す要部拡大側断面図であり（ｂ）は、前扉を閉扉した要部拡大側断面図であり、（ｃ）は、前扉を開扉した状態を示す要部拡大側断面図である。
【図９】従来の前扉を備えたパネルボックスであって、前扉と共にパネル板が手前に揺動した状態を示す断面図である。
【符号の説明】
【００５３】
１、１’          引出し本体
１ａ、１ａ’      前面枠板
１ｂ              引出し収納部
２                前扉
２ａ              パネル板
４、４’          収容凹部
５                前面部
６、７            取手
８                操作空間
９                リンク部材
１０              ロック爪
１１              ロック孔
１２              内パネルボックス
１２ａ            前方の係合片
１２ｂ            後方の係合片
１２ｃ            前端面
１２ｄ            後端面
１２ｅ            底面部
１４              下端枠部材
１４ａ            片受部
１４ｂ            嵌合凹部
１４ｃ            パネル係合溝
１４ｄ            後方延出部
１５              上端枠部材
１５ｃ            パネル係合溝
１６              突条
１６ａ            係止突部
１６ｂ            屈曲部
１６ｃ            後端前面
１８              パネル板
２０              収納部
２１              係合案内部材
２１ａ            係合突起
２１ｂ            係合溝
２１ｃ            傾斜面
２１ｄ            底面
２１ｆ            案内片
２２              内パネルボックス
２２ａ            嵌入部
２２ｃ            前端面
２３              係合部材
２３ａ            係合片
２３ｂ            嵌合部
２３ｃ            ボックス収納部
２３ｄ            当接面
２３ｅ            切欠き部
３１              係合案内部材
３１ａ            係合突起
３１ｂ            係合溝
３１ｃ            傾斜面
３１ｄ            底面
【図１】
2005224370.tif 000003
【図２】
2005224370.tif 000004
【図３】
2005224370.tif 000005
【図４】
2005224370.tif 000006
【図５】
2005224370.tif 000007
【図６】
2005224370.tif 000008
【図７】
2005224370.tif 000009
【図８】
2005224370.tif 000010
【図９】
2005224370.tif 000011